(57)【要約】【課題】安定した入浴姿勢でリラックスして入浴することができる浴槽を提供する。【解決手段】浴槽は、貯湯部１０と、水平面に対して４０度以上に傾斜し、入浴者Ｈの背中が当接する背もたれ面３１Ｓを有した背もたれ部３１と、背もたれ面３１Ｓを上方へ延長した仮想延長面Ｘよりも前方に位置し、水平面に対する傾斜が背もたれ面３１Ｓよりも急であり、入浴者Ｈの後頭部が当接する枕面３２Ｓを有した枕部３２とを備えている。【選択図】図１
2014226467.tif 000002
【特許請求の範囲】
【請求項１】
貯湯部と、
水平面に対して４０度以上に傾斜し、入浴者の背中が当接する背もたれ面を有した背もたれ部と、
前記背もたれ面を上方へ延長した仮想延長面よりも前方に位置し、水平面に対する傾斜が前記背もたれ面よりも急であり、前記入浴者の後頭部が当接する枕面を有した枕部とを備えていることを特徴とする浴槽。
【請求項２】
貯湯部と、
水平面に対して４０度以上に傾斜し、入浴者の背中が当接する背もたれ面を有した背もたれ部と、
前記背もたれ面の上端部における上下方向の接線に沿って上方へ延長した仮想延長面よりも前方に位置し、上下方向の接線の水平面に対する傾斜が前記背もたれ面よりも急であり、前記入浴者の後頭部が当接する枕面を前記貯湯部の上端よりも高い位置に有した枕部とを備えていることを特徴とする浴槽。
【請求項３】
前記背もたれ部の下端部に連続し、前方に向かって昇り傾斜しており、入浴者の臀部が当接する座面を有する座部を備えていることを特徴とする請求項１又は２記載の浴槽。
【請求項４】
前記背もたれ部、及び前記枕部が着脱自在であることを特徴とする請求項１乃至３のいずれか１項記載の浴槽。
【発明の詳細な説明】
【技術分野】
【０００１】
本発明は浴槽に関するものである。
【背景技術】
【０００２】
特許文献１は従来の浴槽を開示している。この浴槽は、背もたれ部、及び枕部を備えている。背もたれ部は、水平面に対して約２０度に傾斜し、入浴者の背中が当接する背もたれ面を有している。枕部は、背もたれ面を上方へ延長した仮想延長面よりも上方に位置し、入浴者の後頭部が当接する枕面を有している。この枕面は水平面に対する傾斜が背もたれ部よりも急である。入浴者は、後頭部を枕面に当接し、仰向け状態でこの浴槽に入浴する。このため、入浴者は、身体が浮力によって浮遊状態になり、リラックスして入浴することができる。
【先行技術文献】
【特許文献】
【０００３】
【特許文献１】特開２０００−２０１８４８号公報
【発明の概要】
【発明が解決しようとする課題】
【０００４】
しかし、この浴槽は、入浴者の身体が浮力によって浮遊状態になるため、入浴姿勢が安定しない。特に、身体の小さい入浴者は、後頭部を枕面に当接させた入浴姿勢をとると、両足を着くべき所定の場所に着くことができず、想定した入浴姿勢をとることができない。このため、身体の小さい入浴者は、浮力によって浮遊状態になると、後頭部が枕面に当接するのみとなり、入浴姿勢がより安定しない。
【０００５】
本発明は、上記従来の実情に鑑みてなされたものであって、安定した入浴姿勢でリラックスして入浴することができる浴槽を提供することを解決すべき課題としている。
【課題を解決するための手段】
【０００６】
第１発明の浴槽は、貯湯部と、
水平面に対して４０度以上に傾斜し、入浴者の背中が当接する背もたれ面を有した背もたれ部と、
前記背もたれ面を上方へ延長した仮想延長面よりも前方に位置し、水平面に対する傾斜が前記背もたれ面よりも急であり、前記入浴者の後頭部が当接する枕面を有した枕部とを備えていることを特徴とする。
【０００７】
この浴槽は、入浴者の後頭部が当接する枕面が、背もたれ面を上方へ延長した仮想延長面よりも前方に位置し、水平面に対する傾斜が背もたれ面よりも急である。このため、入浴者が後頭部を枕面に当接させ、背中を背もたれ面に当接させた入浴姿勢をとると、浮力を受けない入浴者の頭部の荷重を水平方向で入浴者の身体の重心（腰のあたり）に近づけることができる。よって、入浴者の頭部の荷重が身体に受けた浮力を打消すように働き、入浴姿勢を安定させることができる。また、入浴者の身体の大小にかかわらず、この浴槽は後頭部を枕面に当接させ、背中を背もたれ面に当接させた入浴姿勢をとることができるため、入浴姿勢を安定させることができる。なお、背もたれ面及び枕面が上下方向に湾曲する湾曲面である場合、水平面に対する傾斜とは、湾曲面の上下方向の接線が水平面に対して形成する傾斜に相当する。
【０００８】
また、第２発明の浴槽は、貯湯部と、
水平面に対して４０度以上に傾斜し、入浴者の背中が当接する背もたれ面を有した背もたれ部と、
前記背もたれ面の上端部における上下方向の接線に沿って上方へ延長した仮想延長面よりも前方に位置し、上下方向の接線の水平面に対する傾斜が前記背もたれ面よりも急であり、前記入浴者の後頭部が当接する枕面を前記貯湯部の上端よりも高い位置に有した枕部とを備えていることを特徴とする。
【０００９】
この浴槽は、入浴者の後頭部が当接する枕面が、背もたれ面の上端部における上下方向の接線に沿って上方へ延長した仮想延長面よりも前方に位置し、上下方向の接線の水平面に対する傾斜が背もたれ面よりも急である。つまり、背もたれ面及び枕面が後方に凹むように上下方向に湾曲している浴槽であっても、入浴者が後頭部を枕面に当接させ、背中を背もたれ面に当接させた入浴姿勢をとると、浮力を受けない入浴者の頭部の荷重を水平方向で入浴者の身体の重心（腰のあたり）に近づけることができる。よって、入浴者の頭部の荷重が身体に受けた浮力を打消すように働き、入浴姿勢を安定させることができる。また、入浴者の身体の大小にかかわらず、この浴槽は後頭部を枕面に当接させ、背中を背もたれ面に当接させた入浴姿勢をとることができるため、入浴姿勢を安定させることができる。
【００１０】
したがって、第１発明及び第２発明の浴槽は、安定した入浴姿勢でリラックスして入浴することができる。
【図面の簡単な説明】
【００１１】
【図１】実施例１の浴槽を示す断面図である。
【図２】実施例１の浴槽を示す斜視図である。
【図３】実施例２の浴槽を示す断面図である。
【図４】実施例２の浴槽を示す斜視図である。
【図５】実施例３の浴槽を示す断面図である。
【発明を実施するための形態】
【００１２】
第１発明及び第２発明における好ましい実施の形態を説明する。
【００１３】
本発明の浴槽は、前記背もたれ部の下端部に連続し、前方に向かって昇り傾斜しており、入浴者の臀部が当接する座面を有する座部を備え得る。この場合、この浴槽は、座面が背もたれ部の下端部に向けて下り傾斜していることになるため、入浴者の臀部が背もたれ面の下部に当接した正しい入浴姿勢を入浴者は容易にとることができる。このため、入浴者は安定した入浴姿勢でリラックスして入浴することができる。
【００１４】
前記背もたれ部、及び前記枕部が着脱自在であり得る。この場合、背もたれ部及び枕部の有無を選択することができる。また、既設の浴槽等に背もたれ部、及び枕部を取り付けることによって、入浴者は安定した入浴姿勢でリラックスして入浴することができる。
【００１５】
次に、本発明の浴槽を具体化した実施例１〜３について、図面を参照しつつ説明する。
【００１６】
＜実施例１＞
実施例１の浴槽は、図１及び図２に示すように、上方から見た外形状が前後方向（図１に示す入浴姿勢で入浴した入浴者Ｈから見た前後方向であり、図１において左右方向）に長い長方形状である。また、この浴槽は、温水を貯湯する貯湯部１０の上方から見た内形状も前後方向に長い略長方形状である。この浴槽は、入浴者Ｈが図１に示す入浴姿勢で入浴した際に入浴者Ｈの背後側の後フランジ部２１が幅広に形成されている。後フランジ部２１の前縁は後方に凹むように左右方向に湾曲している。また、この浴槽は、後フランジ部２１の左右両端部の夫々から入浴者Ｈの左右に延びる左右フランジ部２２、及び左右フランジ部２２の前端同士を連結した前フランジ部２３が狭小に形成されている。後フランジ部２１、左右フランジ部２２、及び前フランジ部２３が浴槽の上面を形成している。この浴槽はフランジ部の外縁に沿って下方に延びたエプロン部材２４が取り付けられている（図２参照）。
【００１７】
この浴槽は、背もたれ部３１、枕部３２、座部３３、底部３４、左右側面部３５、及び前側面部３６を備えている。背もたれ部３１は後フランジ部２１の前縁に沿って下方に延びている。背もたれ部３１は水平面に対する傾斜角αが約５０度の背もたれ面３１Ｓを有している。背もたれ面３１Ｓは後フランジ部２１の前縁の湾曲形状に連続して後方に凹むように左右方向に湾曲している。入浴者Ｈが入浴姿勢をとると、この背もたれ面３１Ｓの下部に入浴者Ｈの臀部が当接し、上部に背中が当接することになる。
【００１８】
枕部３２は、背もたれ部３１の上端部に連続し、後フランジ部２１よりも上方に突出している。後フランジ部２１より上方に突出した枕部３２は、左右方向に延びた略長方形状であり、背もたれ面３１Ｓの湾曲形状に連続して後方に凹むように左右方向に湾曲した枕面３２Ｓを有する板状である。枕面３２Ｓは背もたれ面３１Ｓに対する傾斜角βが約１５度である。つまり、枕面３２Ｓは、背もたれ面３１Ｓを上方へ延長した仮想延長面Ｘよりも前方に位置し、水平面に対する傾斜が背もたれ面３１Ｓよりも急である。入浴者Ｈが入浴姿勢をとると、この枕面３２Ｓに入浴者Ｈの後頭部が当接することになる。枕面３２Ｓは、入浴者Ｈの後頭部を安定して支持できるように上下方向が１５０ｍｍ以上の長さであるとよい。
【００１９】
座部３３は背もたれ部３１の下端部に連続している。座部３３は前方に向かって昇り傾斜し、水平面に対する傾斜角が約１５度の座面３３Ｓを有している。入浴者Ｈが入浴姿勢をとると、この座面３３Ｓに入浴者Ｈの臀部が当接することになる。
【００２０】
底部３４は、座部３３の前端部から下方に向かって延びた垂下部３７の下端に連続している。つまり、底部３４は座部３３より一段低く、座部３３の前方で上面３４Ｓが水平に拡がっている。底部３４は左右側面部３５及び前側面部３６の下端部に連続している。入浴者Ｈが入浴姿勢をとると、この底部３４の上面３４Ｓに入浴者Ｈの足が着くことになる。
【００２１】
左右側面部３５は、左右フランジ部２２の内縁から下方に延びており、背もたれ部３１、座部３３、垂下部３７、及び底部３４の左右両端部に連続している。左右フランジ部２２の夫々は、入浴者Ｈが入浴姿勢をとった際に肘をかけることができるように、前側（図１における右側）が上昇し、上方に僅かに膨らむように湾曲した板状の肘掛部３８を取り付けている。
【００２２】
前側面部３６は、前フランジ部２３の内縁から下方に延びており、左右側面部３５、及び底部３４の前端部に連続している。このように、この浴槽は、背もたれ部３１、座部３３、底部３４、左右側面部３５、及び前側面部３６によって貯湯部１０を形成している。
【００２３】
この浴槽は、枕部３２の下部に開口した吐水口４１と、背もたれ部３１の下端部に開口した流入口４２と、吐水口４１と流入口４２とを連通し、途中にポンプ４３を配した循環路４４とを有している。吐水口４１は横長のスリット形状である。ポンプ４３を駆動すると、流入口４２から貯湯部１０内の温水が流入し、循環路４４を経て吐水口４１から入浴姿勢の入浴者Ｈの肩に向かって温水を吐水することができる。
【００２４】
このような構成を有する浴槽は、入浴者Ｈの後頭部が当接する枕面３２Ｓが、背もたれ面３１Ｓを上方へ延長した仮想延長面Ｘよりも前方に位置し、水平面に対する傾斜が背もたれ面３１Ｓよりも急であるため、入浴者Ｈが後頭部を枕面３２Ｓに当接させ、背中を背もたれ面３１Ｓに当接させた入浴姿勢をとると、浮力を受けない入浴者Ｈの頭部の荷重を水平方向で入浴者Ｈの身体の重心（腰のあたり）に近づけることができる。よって、入浴者Ｈの頭部の荷重が身体に受けた浮力を打消すように働き、入浴姿勢を安定させることができる。また、入浴者Ｈの身体の大小にかかわらず、この浴槽は後頭部を枕面３２Ｓに当接させ、背中を背もたれ面３１Ｓに当接させた入浴姿勢をとることができるため、入浴姿勢を安定させることができる。
【００２５】
したがって、実施例１の浴槽は安定した入浴姿勢でリラックスして入浴することができる。
【００２６】
また、この浴槽は、座面３３Ｓが背もたれ部３１の下端部に向けて下り傾斜しているため、入浴者Ｈの臀部が背もたれ面３１Ｓの下部に当接した正しい入浴姿勢を入浴者Ｈは容易にとることができる。このため、入浴者Ｈは安定した入浴姿勢でリラックスして入浴することができる。
【００２７】
＜実施例２＞
実施例２の浴槽は、図３及び図４に示すように、形状が実施例１と相違し、さらに、背もたれ部６１、枕部６２、及び座部６３が貯湯部１０内から着脱自在である点が実施例１と相違する。
【００２８】
この浴槽は、上方から見た外形状が前後方向（図３に示す入浴姿勢で入浴した入浴者Ｈから見た前後方向であり、図３において左右方向）に長く、左右方向に短い細長形状である。この浴槽は、底面部５１と、この底面部５１の外周縁から立ち上がった周壁部５２とを備えている。この浴槽は底面部５１と周壁部５２によって貯湯部１０を形成している。底面部５１は上面５１Ｓが水平に拡がっている。周壁部５２は、入浴者Ｈが図３に示す入浴姿勢で入浴した際に入浴者Ｈの背後側の後壁部５２Ａと、後壁部５２Ａの左右両端部の夫々から入浴者Ｈの左右に延びる左右壁部５２Ｂと、左右壁部５２Ｂの前端同士を連結した前壁部５２Ｃとから構成されている。左右壁部５２Ｂと前壁部５２Ｃとは同じ高さであり、後壁部５２Ａは左右壁部５２Ｂ及び前壁部５２Ｃに比べて高い位置まで上方に延びている。後壁部５２Ａは斜め上後方に向けて傾斜している。後壁部５２Ａは、後述する背もたれ部６１及び枕部６２の後面が内面に当接し、背もたれ部６１及び枕部６２を支持している。左右壁部５２Ｂの夫々は、後壁部５２Ａ側の内面に水平方向に延びた段部５３が形成されている。この段部５３は入浴者Ｈが入浴姿勢をとった際に肘をかけることができる。
【００２９】
この浴槽は、背もたれ部６１、枕部６２、及び座部６３を一体に形成している。背もたれ部６１、枕部６２、及び座部６３は、肉厚であり、背もたれ部６１及び枕部６２の後面が後壁部５２Ａの内面に当接し、座部６３の下面が底部３４の上面に当接するように貯湯部１０内に配置されている。一体に形成した背もたれ部６１、枕部６２、及び座部６３は、左右幅が左右壁部５２Ｂの間隔と略等しく形成されており、貯湯部１０内から取り外すことができる。つまり、一体に形成した背もたれ部６１、枕部６２、及び座部６３は、貯湯部１０に着脱自在である。
【００３０】
背もたれ部６１は水平面に対する傾斜角αが約５０度の背もたれ面６１Ｓを前面に形成している。入浴者Ｈが入浴姿勢をとると、この背もたれ面６１Ｓの下部に入浴者Ｈの臀部が当接し、上部に背中が当接することになる。
【００３１】
枕部６２は、背もたれ部６１の上端部に連続し、背もたれ面６１Ｓに対する傾斜角βが約１５度の枕面６２Ｓを前面に形成している。つまり、枕面６２Ｓは、背もたれ面６１Ｓを上方へ延長した仮想延長面Ｘよりも前方に位置し、水平面に対する傾斜が背もたれ面６１Ｓよりも急である。また、枕面６２Ｓは貯湯部１０の上端よりも高い位置に設けられている。入浴者Ｈが入浴姿勢をとると、この枕面６２Ｓに入浴者Ｈの後頭部が当接することになる。
【００３２】
座部６３は背もたれ部６１の下端部に連続している。座部６３は前方に向かって昇り傾斜した座面６３Ｓを有している。入浴者Ｈが入浴姿勢をとると、この座面６３Ｓに入浴者Ｈの臀部が当接することになる。また、入浴者Ｈが入浴姿勢をとると、座部６３より前方の底面部５１の上面５１Ｓに入浴者Ｈの足が着くことになる。
【００３３】
一体に形成した背もたれ部６１及び枕部６２は、枕部６２の下部に開口した吐水口７１が設けられ、背もたれ部６１の下端部に開口した流入口７２が設けられている。また、一体に形成した背もたれ部６１及び枕部６２は、吐水口７１と流入口７２とを連通し、途中にポンプ７３を配した循環路７４を内蔵している。吐水口７１は横長のスリット形状である。ポンプ７３を駆動すると、流入口７２から貯湯部１０内の温水が流入し、循環路７４を経て吐水口７１から入浴姿勢の入浴者Ｈの肩に向かって温水を吐水することができる。
【００３４】
このような構成を有する浴槽は、入浴者Ｈの後頭部が当接する枕面６２Ｓが、背もたれ面６１Ｓを上方へ延長した仮想延長面Ｘよりも前方に位置し、水平面に対する傾斜が背もたれ面６１Ｓよりも急であるため、入浴者Ｈが後頭部を枕面６２Ｓに当接させ、背中を背もたれ面６１Ｓに当接させた入浴姿勢をとると、浮力を受けない入浴者Ｈの頭部の荷重を水平方向で入浴者Ｈの身体の重心（腰のあたり）に近づけることができる。よって、入浴者Ｈの頭部の荷重が身体に受けた浮力を打消すように働き、入浴姿勢を安定させることができる。また、入浴者Ｈの身体の大小にかかわらず、この浴槽は後頭部を枕面６２Ｓに当接させ、背中を背もたれ面６１Ｓに当接させた入浴姿勢をとることができるため、入浴姿勢を安定させることができる。
【００３５】
したがって、実施例２の浴槽も、安定した入浴姿勢でリラックスして入浴することができる。
【００３６】
また、この浴槽は、座面６３Ｓが背もたれ部６１の下端部に向けて下り傾斜しているため、入浴者Ｈの臀部が背もたれ面６１Ｓの下部に当接した正しい入浴姿勢を入浴者Ｈは容易にとることができる。このため、入浴者Ｈは安定した入浴姿勢でリラックスして入浴することができる。
【００３７】
また、この浴槽は、一体に形成した背もたれ部６１、枕部６２、及び座部６３は、貯湯部１０に着脱自在であるため、背もたれ部６１、枕部６２、及び座部６３の有無を選択することができる。また、既設の浴槽等に背もたれ部６１、枕部６２及び座部６３を取り付けることによって、入浴者Ｈは安定した入浴姿勢でリラックスして入浴することができる。
【００３８】
＜実施例３＞
実施例３の浴槽は、図５に示すように、背もたれ面８１Ｓ及び枕面８２Ｓが同一の曲率で後方に僅かに凹むように上下方向に湾曲した湾曲面で形成されている。他の構成は実施例１と同様であり、同一の構成は同一の符号を付し、詳細な説明を省略する。
【００３９】
この浴槽の背もたれ部８１は、上下方向の略中央部において、水平面に対する傾斜角αが約５０度の背もたれ面８１Ｓを有している。湾曲した背もたれ面８１Ｓの水平面に対する傾斜角とは背もたれ面８１Ｓの上下方向の接線が水平面に対して形成する傾斜角に相当する。入浴者Ｈが入浴姿勢をとると、この背もたれ面８１Ｓの下部に入浴者Ｈの臀部が当接し、上部に背中が当接することになる。
【００４０】
この浴槽の枕部８２は背もたれ面８１Ｓの上端部における上下方向の接線に沿って上方へ延長した仮想延長面Ｙよりも前方に位置した枕面８２Ｓを有している。この湾曲した枕面８２Ｓは、上下方向の略中央部における上下方向の接線が、仮想延長面Ｙに対して約７度の傾斜角βを有している。つまり、枕面８２Ｓは上下方向の接線の水平面に対する傾斜が仮想延長面Ｙよりも急であり、背もたれ面８１Ｓよりも急である。また、枕面８２Ｓは貯湯部１０の上端（各フランジ部２１、２２、２３）よりも高い位置に設けられている。入浴者Ｈが入浴姿勢をとると、この枕面８２Ｓに入浴者Ｈの後頭部が当接することになる。枕面８２Ｓは、入浴者Ｈの後頭部を安定して支持できるように上下方向が１５０ｍｍ以上の長さであるとよい。
【００４１】
このような構成を有する浴槽は、入浴者Ｈの後頭部が当接する枕面８２Ｓが、背もたれ面８１Ｓの上端部における上下方向の接線に沿って上方へ延長した仮想延長面Ｙよりも前方に位置し、上下方向の接線の水平面に対する傾斜が背もたれ面８１Ｓよりも急である。つまり、背もたれ面８１Ｓ及び枕面８２Ｓが後方に凹むように上下方向に湾曲している浴槽であっても、入浴者Ｈが後頭部を枕面８２Ｓに当接させ、背中を背もたれ面８１Ｓに当接させた入浴姿勢をとると、浮力を受けない入浴者Ｈの頭部の荷重を水平方向で入浴者Ｈの身体の重心（腰のあたり）に近づけることができる。よって、入浴者Ｈの頭部の荷重が身体に受けた浮力を打消すように働き、入浴姿勢を安定させることができる。また、入浴者Ｈの身体の大小にかかわらず、この浴槽は後頭部を枕面８２Ｓに当接させ、背中を背もたれ面８１Ｓに当接させた入浴姿勢をとることができるため、入浴姿勢を安定させることができる。
【００４２】
したがって、実施例３の浴槽も安定した入浴姿勢でリラックスして入浴することができる。
【００４３】
本発明は上記記述及び図面によって説明した実施例に限定されるものではなく、例えば次のような実施例も本発明の技術的範囲に含まれる。
（１）実施例１〜３では、背もたれ面が水平面に対して約５０度傾斜していたが、背もたれ面の水平面に対する傾斜は４０度以上であればよい。
（２）実施例１及び２では、枕面が背もたれ面に対して約１５度傾斜しており、実施例３では、枕面が仮想延長面よりも約７度傾斜していたが、枕面は背もたれ面よりも水平面に対する傾斜が急であればよい。
（３）実施例１〜３では、座部が設けられていたが、座部を設けなくてもよい。
（４）実施例２では、背もたれ部、枕部、及び座部が一体に形成されていたが、背もたれ部と枕部とが一体に形成され、貯湯部に着脱自在であればよい。
（５）実施例１〜３では、入浴姿勢をとった入浴者の肩に向かって温水を吐水するために、吐水口、流入口、及び途中にポンプを配した循環路を有していたが、これらを有さなくてもよい。
（６）背もたれ部、枕部、及び座部はクッション性を有する材質で形成してもよい。
【符号の説明】
【００４４】
１０…貯湯部
３１、６１、８１…背もたれ部
３１Ｓ、６１Ｓ、８１Ｓ…背もたれ面
３２、６２、８２…枕部
３２Ｓ、６２Ｓ、８２Ｓ…枕面
３３、６３…座部
３３Ｓ、６３Ｓ…座面
Ｈ…入浴者
Ｘ…（背もたれ面を上方へ延長した）仮想延長面
Ｙ…（背もたれ面の上端部における上下方向の接線に沿って上方へ延長した）仮想延長面
【図１】
2014226467.tif 000003
【図３】
2014226467.tif 000004
【図５】
2014226467.tif 000005
【図２】
2014226467.tif 000006
【図４】
2014226467.tif 000007